(57)【特許請求の範囲】
【請求項１】
筐体の内部に電池を有する電子機器において、
上記筐体に設けられ、上記電池を取り付ける電池取付部と、
上記電池取付部に上記電池を着脱可能に接着する接着部材とを備え、
上記接着部材は、
直線部と、
該直線部から折れ曲がって延びる延長部と、
該延長部の先端に形成された持ち手部とを備えており、
上記持ち手部を引き延ばす方向に引っ張ることにより該接着部材を剥離可能に構成されている
ことを特徴とする電子機器。
【請求項２】
請求項１に記載の電子機器において、
上記電池は、一方に長い矩形板状であり、上記直線部は、該電池の長手方向に延びるように該電池の裏面に貼り付けられ、上記延長部は、該電池の幅方向側面から電池の表面側へ折り曲げられ、上記持ち手部は、該電池の幅方向側面から該電池の表面側に露出している
ことを特徴とする電子機器。
【請求項３】
請求項１又は２に記載の電子機器において、
上記接着部材は、帯状の一対の引き伸ばし剥離接着テープであり、該一対の引き伸ばし剥離接着テープの延長部は、それぞれ離れる方向にハの字状に延び、上記持ち手部が上記電池の幅方向両側からそれぞれ該電池の表面側に折り曲げられている
ことを特徴とする電子機器。
【請求項４】
請求項３に記載の電子機器において、
上記引き伸ばし剥離接着テープは、先端へ行くほど細くなっている
ことを特徴とする電子機器。
【発明の詳細な説明】
【技術分野】
【０００１】
本発明は、筐体の内部に電池を有する電子機器に関し、特に電池の貼付構造の改善に関する。
【背景技術】
【０００２】
近年、いわゆるパウチ形電池という、例えば薄板状のリチウムイオン電池よりなる電池が、特にスマートフォンなどの携帯端末等で使用されるようになってきている。このパウチ形電池は、ポリマーによる電解質のゲル化により、薄型且つ軽量なものとなっている。このパウチ形電池は、例えば外装がアルミラミネートフィルムなどの強度の低い部材からできている。このようなパウチ形電池は、装置内部に両面テープなどで接着されることが多い。
【０００３】
そこで、接着される電池をリサイクル時に剥がしやすくするために、例えば、特許文献１のように、携帯端末に電池パックを収容する際に、電池パックを予め包装材で包装し、包装材と電池収容部（キャビネット内面や基板）に貼り付けるようにすることが知られている。これにより、筐体内部で電池がガタつかず確実に固定でき、電池を取り外す際、包装材を開いて電池を取り外すことができるので、電池に負荷をかけることがなく、電池の破壊を生じない。
【先行技術文献】
【特許文献】
【０００４】
【特許文献１】特開２０１５-０８８４４９号公報
【発明の概要】
【発明が解決しようとする課題】
【０００５】
しかしながら、電池を包装材で包んだ上で筐体に固定する場合、そのための包装材が別途必要となり、コスト上昇を招くとともに、電池部分の厚みが包装材の分だけ増してしまうため、機器の厚みを大きくしたり電池容量を削減したりする必要が生じる。
【０００６】
本発明は、かかる点に鑑みてなされたものであり、その目的とするところは、包装材を用いることなく電池を固定でき、電池部分の厚みを大きくすることなく、電池に負荷をかけずに電池を取り外すことができるようにすることにある。
【課題を解決するための手段】
【０００７】
上記の目的を達成するために、この発明では、電池取付部に電池を着脱可能に接着すると共に、引き延ばす方向に引っ張ることにより接着部材を剥離可能な接着部材を設けた。
【０００８】
具体的には、本発明では、筐体の内部に電池を有する電子機器を対象とし、
上記電子機器は、
上記筐体に設けられ、上記電池を取り付ける電池取付部と、
上記電池取付部に上記電池を着脱可能に接着する接着部材とを備え、
上記接着部材は、
直線部と、
該直線部から折れ曲がって延びる延長部と、
該延長部の先端に形成された持ち手部とを備えており、
上記持ち手部を引き延ばす方向に引っ張ることにより該接着部材を剥離可能に構成されている。
【０００９】
上記の構成によると、接着部材を引き延ばす際は、筺体（又は筐体に対して着脱可能な部品）と接着部材の持ち手部を持つため、電池自体に負荷をかけず、安全に作業ができる。直線部で主に接着強度を確保し、その直線部から折れ曲がった方向に延びた延長部の先端の持ち手部を引っ張るので、直線部の先端に持ち手部がある場合に比べて周囲の部品を損傷し難い。また、電池を取り出す際は電池が損傷しないので、接着部材のみを交換すればよい。
【発明の効果】
【００１０】
以上説明したように、本発明によれば、引き伸ばして剥がせる接着部材を使うことで、包装材を用いることなく電池を固定できるため、電池部分の厚みを大きくすることなく、電池に負荷をかけずに取り外すことができる。また、持ち手部を直線部から折れ曲がって延びる延長部に設けたため、引き剥がしのときに部品破壊が生じない。
【図面の簡単な説明】
【００１１】
【図１】リジッド基板を正面側キャビネットから外して引き伸ばし剥離接着テープを引っ張る様子を示す分解斜視図である。
【図２】本発明の実施形態に係るスマートフォンを正面側から見た斜視図である。
【図３】本発明の実施形態に係るスマートフォンを背面側から見た斜視図である。
【図４】スマートフォンを示す分解斜視図である。
【図５】電池が固定された正面側キャビネット及びその周辺を示す斜視図である。
【図６】引き伸ばし剥離接着テープを拡大して示す正面図である。
【発明を実施するための形態】
【００１２】
以下、本発明の実施形態を図面に基づいて説明する。
【００１３】
図２〜図４は本発明の実施形態の電子機器としてのスマートフォン１を示し、このスマートフォン１は、カバーパネル２ａ及び表示パネル２ｂを有する表示部２と、この表示部２を覆う、筐体としての正面側キャビネット３とを備えている。正面側キャビネット３は、例えば矩形板状の板金３ａがインサート成形されている。カバーパネル２ａは、タッチパネルと一体になっていてもよいし、ガラスパネル又はアクリルパネルのみで構成されていてもよい。正面側キャビネット３の背面は、背面側キャビネット４で覆われている。背面側キャビネット４は、リアカバー５で覆われている。正面側キャビネット３と背面側キャビネット４との間には、矩形板状のパウチ形充電池よりなる電池６と、矩形板状のリジッド基板７とが収容されている。リジッド基板７は、柔軟性のない基材を用いたもので適度な剛性を有する。
【００１４】
そして、本実施形態のパウチ形の電池６は、例えば架橋ポリマーにより電解質がゲル化されており、外装がアルミラミネートフィルムなどの強度の低い部材からできている。この強度の弱い外装部分が、電池６を固定するための引き伸ばし剥離接着テープ１０によってリジッド基板７に貼り付けられている。具体的には、引き伸ばし剥離接着テープ１０は、例えば一対設けられ、電池６の幅方向両側に間隔を空けて配置され、リジッド基板７の背面の平坦面７ａに貼り付けられる。このリジッド基板７は、正面側キャビネット３に着脱可能な部品であり、電池６は、このリジッド基板７に対し、引き伸ばし剥離接着テープ１０により着脱可能に接着されている。
【００１５】
引き伸ばし剥離接着テープ１０は、幅の一定な長細いテープ状の両面テープで、引っ張ることで、粘着力が低下するよう構成されている（例えば特許第３３９９９５１号公報参照）。図６にも示すように、引き伸ばし剥離接着テープ１０は、直線部１０ａと、この直線部１０ａから折れ曲がって延びる延長部１０ｂと、この延長部１０ｂの先端に形成された持ち手部１０ｃとを備えている。引き伸ばし剥離接着テープ１０は、ハッチングで示す領域には、電池６が容易に平坦面７ａから離れないように十分な強度の粘着性を有するが、持ち手部１０ｃは、電池６の表面側に微粘着により貼り付けられているのみとなっている。引き伸ばし剥離接着テープ１０は、その幅が略一定の帯状であるため、引き伸ばし時にちぎれ難い。特に電池６が平坦面７ａ上で回転するような力に対して有利となる。また、引き伸ばし剥離接着テープ１０は、幅が一定の帯状をしているが、これは、引っ張る際に掛かる荷重を一定にし、引き伸ばし時に剪断応力等が掛かってちぎれないようにする点で有利である。幅寸法は、引き伸ばし剥離接着テープ１０の粘着力と電池の質量とで決定される。例えば、単位面積当たりの粘着力と粘着部の面積と安全率との積が電池の重力よりも大きくなるようにすればよい。また、引き伸ばし剥離接着テープ１０の幅は先端に行くほど細くし、引っ張る際に徐々に荷重が下がるようにしてもよい。
【００１６】
次に本実施形態に係るスマートフォン１の電池６の取り外し手順について説明する。
【００１７】
まず、図４に示すように、リアカバー５、背面側キャビネット４等を順に取り外し、図５に示すように、電池６を露出させる。この状態では、持ち手部１０ｃを無理に引っ張ると側壁３ｂを損傷させたり、引き伸ばし剥離接着テープ１０が切れて引っ張ることができなくなったりする可能性がある。
【００１８】
そこで、図１に示すように、リジッド基板７を正面側キャビネット３から取り外す。
【００１９】
次いで、引き伸ばし剥離接着テープ１０の持ち手部１０ｃを図１の２点鎖線矢印で示す方向に引っ張る。このとき、リジッド基板７を正面側キャビネット３からすでに取り外しているので、側壁３ｂやボス３ｃに邪魔をされずに引き伸ばし剥離接着テープ１０を電池６の左右方向に引っ張りやすい。持ち手部１０ｃを左右斜め方向（テープの折れ曲がっている方向にまっすぐ）に引っ張ることで、電池６を平坦面７ａから浮き上がらせるように剥がすことができる。このため、電池６に曲げ応力等の荷重が加わり難く、テープも切れ難い。リジッド基板７は比較的剛性が高く、引き伸ばし剥離接着テープ１０の引っ張り力に耐えることができる。引き伸ばし剥離接着テープ１０は、使用時にはリジッド基板７の背面及び電池６の正面に密着していた状態から、引っ張られて接着力が徐々に低下するので、最終的に電池６及びリジッド基板７から引き伸ばし剥離接着テープ１０を取り外すことができる。
【００２０】
このように、本実施形態では、引き伸ばし剥離接着テープ１０を引き延ばす際は、リジッド基板７と引き伸ばし剥離接着テープ１０の持ち手部１０ｃとを持つため、電池６に負荷をかけず、安全に作業ができる。電池６を取り外す際には電池６は損傷しないので、引き伸ばし剥離接着テープ１０のみを交換すればよい。
【００２１】
電池６を一方に長い矩形板状とし、直線部１０ａを電池６の長手方向に延びるように電池６の裏面に貼り付け、延長部１０ｂを電池６の幅方向側面から電池６の表面側へ折り曲げ、持ち手部１０ｃを電池６の幅方向側面から電池６の表面側に露出させるようにしたので、直線部１０ａをできるだけ長くすることにより接着力を確保できると共に、電池６の幅方向側面から表面側に露出する持ち手部１０ｃを引っ張ることにより、電池６の長手方向に引っ張る場合に比べて電池６周辺の電子部品と干渉せず電子部品を傷付けずに電池６を取り外すことができる。正面側キャビネット３の上下部分には各種部品が配されていることが多いことから、引き伸ばし剥離接着テープ１０を直線的に貼っただけの場合では、引き伸ばし剥離接着テープ１０を引き剥がす際に、引き抜き方向の下方にある電子部品等を破損させるおそれがあるためである。また、引き伸ばし剥離接着テープ１０を表面側に回しこんでおくことにより、持ち手部１０ｃをつかみやすいというメリットがある。
【００２２】
本実施形態では、リジッド基板７を正面側キャビネット３から取り外した後、このリジッド基板７から電池６を取り外すときに引き伸ばし剥離接着テープ１０の持ち手部１０ｃを電池６に負荷がかからないように引っ張れば、電池６が変形することなく容易にリジッド基板７からから外れる。このとき、電池６自体を引っ張らなくてよいので、電池６が、たとえパウチ形電池のような変形しやすいものであっても痛み難い。また、使用時には、引き伸ばし剥離接着テープ１０によって電池６を正面側キャビネット３に取り付けたリジッド基板７に貼り付けるので、固定が極めて容易で且つ固定性能を確保しやすい。
【００２３】
本実施形態では、接着部材を幅が一定の帯状の一対の引き伸ばし剥離接着テープ１０とし、この一対の引き伸ばし剥離接着テープ１０の延長部１０ｂをそれぞれ離れる方向にハの字状に延び、持ち手部１０ｃが電池６の幅方向両側からそれぞれ電池６の表面側に折り曲げられる構成としたので、リチウムイオン電池のように、使用により中央部が膨らんでしまう場合でも、一対の引き伸ばし剥離接着テープ１０を間隔を空けて設けることで、電池６の膨らみによる悪影響が出難い。また、引き伸ばし剥離接着テープ１０は正面側キャビネット３の長手方向に貼っているが、引き伸ばし剥離接着テープ１０の持ち手部１０ｃ側を貼付方向とは異なる電池６の側面から回しこむことで、周囲の部品を破損させることなく引き伸ばし剥離接着テープ１０を引き剥がすことができる。
【００２４】
さらに、持ち手部１０ｃを微粘着で電池６の表面側に貼り付けることで、持ち手部１０ｃが邪魔にならず、また、微粘着であるので、電池６を取り外すときには、持ち手部１０ｃを容易に剥がして引っ張ることができる。
【００２５】
以上説明したように、本発明によれば、引き伸ばして剥がせる引き伸ばし剥離接着テープ１０を使うことで、包装材を用いることなく電池６を固定できるため、電池６部分の厚みを大きくすることなく、電池６に負荷をかけずに取り外すことができる。また、持ち手部１０ｃが直線部１０ａの貼付方向と異なる方向に設けられているため、引き剥がすときに部品破壊を生じない。
【００２６】
（その他の実施形態）
本発明は、上記実施形態について、以下のような構成としてもよい。
【００２７】
すなわち、上記各実施形態では、電池６は、パウチ形電池であれば、変形に弱いので、本発明の効果が顕著に発揮されるが、比較的剛性の高い樹脂ケースや金属ケースで覆われた電池であってもよい。
【００２８】
上記実施形態では、リジッド基板７を正面側キャビネット３に取り付けた上で、引き延ばし剥離接着テープ１０をリジッド基板７に貼り付けるとしたが、リジッド基板７を正面側キャビネット３に取り付ける前に、引き延ばし剥離接着テープ１０をリジッド基板７に貼り付けておいてもよいし、電池６に貼り付けてもよい。
【００２９】
接着部材は、特許第３３９９９５１号公報等に記載された引き延ばし剥離接着テープ１０としたが、これに限定されない。要は、引っ張ることで引き剥がすことができる接着手段であればよい。
【００３０】
上記実施形態では、上記電池６は、引き延ばし剥離接着テープ１０によってリジッド基板６に貼り付けられているが、板金３ａなどの正面側キャビネット３から取り外すことのできない部品に貼り付けられていてもよい。
【００３１】
上記実施形態では、電子機器は、スマートフォン１としたが、携帯電話機、タブレット端末、ＰＨＳ（Personal Handy-phone System） 、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００３２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３３】
１      スマートフォン（電子機器）
２      表示部
２ａ    カバーパネル
２ｂ    表示パネル
３      正面側キャビネット（筐体）
３ａ    板金
３ｂ    側壁
３ｃ    ボス
４      背面側キャビネット
５      リアカバー
６      電池
７      リジッド基板（電池取付部）
７ａ    平坦面
１０      引き伸ばし剥離接着テープ（接着部材）
１０ａ    直線部
１０ｂ    延長部
１０ｃ    持ち手部
【図１】
0006567400.tif 000002
【図２】
0006567400.tif 000003
【図３】
0006567400.tif 000004
【図４】
0006567400.tif 000005
【図５】
0006567400.tif 000006
【図６】
0006567400.tif 000007